(57)【特許請求の範囲】
【請求項１】
紙幣の入金および出金を行う入出金口と、紙幣の種別を判別する認識部と、金種毎に紙幣を収納する収納庫と、前記入出金口と前記認識部さらに前記収納庫の間を接続し紙幣を搬送する搬送路を備える紙幣入出金装置において、
入金された紙幣の種別判定ができず入金リジェクトとして前記入出金口に排出するときと、紙幣を前記入出金口に出金するときとを区別可能な手段を設け、
前記区別可能な手段は、紙幣の排出量を規制するストッパを有し、入金リジェクトと出金のときで紙幣の排出量を変えることを特徴とする紙幣入出金装置。
【請求項２】
紙幣の入金および出金を行う入出金口と、紙幣の種別を判別する認識部と、金種毎に紙幣を収納する収納庫と、前記入出金口と前記認識部さらに前記収納庫の間を接続し紙幣を搬送する搬送路を備える紙幣入出金装置において、
入金された紙幣の種別判定ができず入金リジェクトとして前記入出金口に排出するときと、紙幣を前記入出金口に出金するときとを区別可能な手段を設け、前記区別可能な手段は、それぞれ長さが異なり略９０度回動して垂直または水平にできる入金リジェクト用ストッパと出金用ストッパを設け、入金リジェクトのときは入金リジェクト用ストッパを回動して垂直とし、出金のときは出金用ストッパを回動して垂直とし、入金リジェクト時と出金時の紙幣の入出金口での突出量を変えることを特徴とする紙幣入出金装置。
【請求項３】
紙幣の入金および出金を行う入出金口と、紙幣の種別を判別する認識部と、金種毎に紙幣を収納する収納庫と、前記入出金口と前記認識部さらに前記収納庫の間を接続し紙幣を搬送する搬送路を備える紙幣入出金装置において、
入金された紙幣の種別判定ができず入金リジェクトとして前記入出金口に排出するときと、紙幣を前記入出金口に出金するときとを区別可能な手段を設け、
前記区別可能な手段は表示ランプを有し、出金処理中のときは前記表示ランプを点灯させ、入金処理中のときは前記表示ランプを点灯させ、前記入金された紙幣が前記認識部により入金リジェクトと判定されると、前記入金された紙幣の搬送方向を逆転し、前記表示ランプを点灯から点滅に変えて前記入金された紙幣を排出することを特徴とする紙幣入出金装置。
【請求項４】
前記区別可能な手段は、低い周波数の音または高い周波数の音で鳴動するブザーを備え、入金リジェクトのときと、出金のときの前記ブザー音の周波数を変えるようにしたことを特徴とする請求項１乃至３のいずれか一項に記載の紙幣入出金装置。
【発明の詳細な説明】
【技術分野】
【０００１】
この発明は、ＰＯＳ（Ｐｏｉｎｔ  ｏｆ  ｓａｌｅ  ｓｙｓｔｅｍ）端末に接続される紙幣入出金装置に関するものである。
【背景技術】
【０００２】
一般に、ＰＯＳ端末に接続されるような小型の紙幣入出金装置では、紙幣入出金口が１つしかないことが多く、入金時のリジェクト紙幣はこの入出金口へ戻すようにしている。このため、このリジェクトされた紙幣を出金された紙幣と間違ってお客様へ渡してしまうことがあった。
【０００３】
この問題を解決するために、入出金口を上下に仕切るセパレータを設け、上側をリジェクト紙幣、下側を出金紙幣として区別して排出する方法があった（例えば、特許文献１参照）。
【先行技術文献】
【特許文献】
【０００４】
【特許文献１】特開平６−２７４７４４号公報
【発明の概要】
【発明が解決しようとする課題】
【０００５】
しかしながら、上記従来の紙幣入出金装置では、仕切りで上下に区別して出金紙幣とリジェクト紙幣を分けて排出させるため、高価な部材や機構が必要となりコストアップとなるとともに、ほぼ同じように排出するために、やはり、リジェクト紙幣を出金紙幣と間違えてお客様へ渡してしまうことがあった。
【課題を解決するための手段】
【０００６】
本発明は、前述の課題を解決するために次の構成を採用する。すなわち、紙幣の入金および出金を行う入出金口と、紙幣の種別を判別する認識部と、金種毎に紙幣を収納する収納庫と、前記入出金口と前記認識部さらに前記収納庫の間を接続し紙幣を搬送する搬送路を備える紙幣入出金装置において、入金された紙幣の種別判定ができず入金リジェクトとして前記入出金口に排出するときと、紙幣を前記入出金口に出金するときとを区別可能な手段を設けるようにした。
【０００７】
或いは、別の発明では、紙幣の入金および出金を行う入出金口と、紙幣の種別を判別する認識部と、金種毎に紙幣を収納する収納庫と、前記入出金口と前記認識部さらに前記収納庫の間を接続し紙幣を搬送する搬送路を備える紙幣入出金装置において、最大入金リトライ回数を格納する入金リトライ情報格納部と、前記最大入金リトライ回数まで入金リトライを繰り返しても紙幣の種別判定ができず入金リジェクトされた紙幣を収納する強制入金収納庫と、を備えた。
【発明の効果】
【０００８】
本発明の紙幣入出金装置によれば、以上のように構成したので、高価な部材や機構を設けることなく、入金リジェクト紙幣か出金紙幣かの区別が容易となり、リジェクト紙幣を出金紙幣と間違えてお客様へ渡すことをなくすことができる。
【０００９】
或いは、別の発明では、何度も入金リトライを繰り返すことを防止することができ、リジェクト紙幣を出金紙幣と間違えてお客様へ渡す頻度を少なくすることができる。
【図面の簡単な説明】
【００１０】
【図１】実施例１の紙幣入出金装置の構成図である。
【図２】実施例２の紙幣入出金装置の構成図である。
【図３】実施例３の紙幣入出金装置の構成図である。
【図４】実施例４の紙幣入出金装置の構成図である。
【発明を実施するための形態】
【００１１】
以下、本発明に係わる実施の形態例を、図面を用いて説明する。図面に共通する要素には同一の符号を付す。なお、以下の説明では、スーパ等に設置されるＰＯＳ端末に接続され、紙幣の入出金を行う紙幣入出金装置を例として説明するが、同様にＰＯＳ端末に接続される硬貨の入出金を行う硬貨入出金装置などにも本発明を適用することもできる。
【実施例１】
【００１２】
（構成）
実施例１の紙幣入出金装置の構成を示す図１を用いて以下詳細に説明する。同図に示したように、実施例１の紙幣入出金装置１は、装置内各部を制御する制御部２０と、紙幣の入金および出金を行う入出金口２と、紙幣の種別を判別する認識部４と、金種毎に紙幣を収納する収納庫５と、入出金口２と認識部４さらに収納庫５の間を接続し紙幣を搬送する搬送路３と、入金処理中であることを表示する入金表示ランプ６および出金処理中であることを表示する出金表示ランプ７を備える。
【００１３】
なお、実施例１の紙幣入出金装置１では、図１に示したように、入金表示ランプ６を三角形とし、出金表示ランプ７を逆三角形としているが、方向を示す形状であれば、矢印形状としてもよいし他の形状としてもよい。
【００１４】
（動作）
以上の構成にて実施例１の紙幣入出金装置１は、以下のように動作する。まず、入金取引の動作を前述の図１を用いて説明する。
【００１５】
紙幣入出金装置１の入金処理はＰＯＳ端末３０からの指示により開始され、店員は紙幣を確認して入出金口２へセットする。紙幣が入出金口２にセットされたことを検知すると、制御部２０の指示により、入金表示ランプ６を点灯させる。
【００１６】
次に、入出金口２にセットされた紙幣を、搬送路３上を入出金口２から認識部４へと移動させる。認識部４は紙幣の種別を判別し、その判別結果を制御部２０へ通知する。そして、正しく金種判別できた場合は、搬送路３上の紙幣を認識部４から収納庫５へと移動し収納する。
【００１７】
一方、正しく金種判別できなかった場合は、入金表示ランプ６を点灯から点滅に変え、搬送路３を逆方向に駆動し、認識部４から入出金口２へと紙幣を戻す。
【００１８】
このとき、店員は入金表示ランプ６の点滅を確認し入金リジェクト紙幣であることを把握しながら紙幣を入出金口２から取り出す。そして、紙幣が取り出されたことを検知すると制御部２０の指示により入金表示ランプ６を消灯する。
【００１９】
そして、店員は入金リジェクトした紙幣を別の紙幣と交換し再度入金し、正常に入金を完了したときは、その結果をＰＯＳ端末３０に通知して入金処理を終了する。
【００２０】
次に、出金の動作を説明する。まず、ＰＯＳ端末３０からの指示により出金処理は開始され、出金が開始されると、制御部２０の指示により出金表示ランプ７を点灯させる。
【００２１】
次に、制御部２０からの指示により収納庫５から紙幣を繰り出し、搬送路３上を収納庫５から認識部４へと紙幣を移動する。
【００２２】
認識部４では紙幣の種別が判別され、判別結果を制御部２０へ通知する。正しく金種判別できた場合は、制御部２０の指示により搬送路３上を認識部４から入出金口２へ紙幣を移動する。
【００２３】
すると、店員は、出金表示ランプ７が点灯していることを確認し出金紙幣であることを把握しながら紙幣を入出金口２から取り出す。そして、紙幣が取り出されたことを検知すると制御部２０からの指示により出金表示ランプ７を消灯する。そして、出金結果をＰＯＳ端末３０へ通知して出金処理を終了する。
【００２４】
一方、出金時に正しく金種判別できなかった場合は、図示していないが出金リジェクト庫を備え、当該出金リジェクト庫に紙幣を搬送して収納するようにすればよい。
【００２５】
なお、以上の実施例の説明では、入金リジェクトが発生した場合、入金表示ランプを点灯から点滅に変えるように説明したが、点灯する色を変えるようにしてもよい。
【００２６】
（実施例１の効果）
以上のように、実施例１の紙幣入出金機によれば、入金表示ランプと出金表示ランプを備え、入金リジェクト時は入金表示ランプを点滅させ、出金時は出金表示ランプを点灯させるようにしたので、高価な部材や機構を設けることなく、入金リジェクト紙幣か出金紙幣かの区別が容易となり、リジェクト紙幣を出金紙幣と間違えてお客様へ渡すことをなくすことができる。
【実施例２】
【００２７】
（構成）
実施例２の紙幣入出金装置の構成を示す図２を用いて以下詳細に説明する。同図に示したように、実施例２の紙幣入出金装置１では、実施例１の入金表示ランプ６および出金表示ランプ７に替えて、低い周波数の音（例えば「ブー」という音）と高い周波数の音（例えば「ピー」という音）を鳴動させることができるブザー８を設けている。その他の構成は実施例１の紙幣入出金機と同様であるので簡略化のためにその詳細な説明は省略する。
【００２８】
（動作）
以上の構成にて実施例２の紙幣入出金装置１は、以下のように動作する。まず、入金取引の動作を前述の図２を用いて説明する。
【００２９】
紙幣入出金装置１の入金処理はＰＯＳ端末３０からの指示により開始され、店員は紙幣を確認して入出金口２へセットする。そして、紙幣が入出金口２にセットされたことを検知すると、制御部２０の指示により搬送路３上を入出金口２から認識部４へと紙幣を移動させる。
【００３０】
認識部４では紙幣の種別を判別し、その判別結果を制御部２０へ通知する。正しく金種判別できた場合は、搬送路３上を認識部４から収納庫５へ紙幣を移動し収納する。
【００３１】
一方、正しく金種判別できなかった場合は、入金リジェクトを意味する音として、例えば低い周波数の音でブザー８を鳴動させ、搬送路３を逆方向に駆動し、認識部４から入出金口２へ紙幣を戻す。
【００３２】
すると、店員は低い周波数のブザー８の音を確認し、入出金口２に排出された紙幣が入金リジェクト紙幣であることを認識しその紙幣を入出金口２から取り出す。そして、紙幣が取り出されたことを検知すると制御部２０の指示によりブザー８の鳴動を止める。
【００３３】
そして、店員は入金リジェクトした紙幣を別の紙幣と交換し再度入金し、正常に入金完了したときは、その結果をＰＯＳ端末３０に通知して入金処理を終了する。
【００３４】
次に、出金動作を説明する。まず、ＰＯＳ端末３０からの指示により出金処理は開始され、出金が開始されると、制御部２０の指示により、収納庫５から紙幣を繰り出し、搬送路３上を収納庫５から認識部４へと紙幣を移動する。
【００３５】
認識部４では紙幣の種別を判別し、その判別結果を制御部２０へ通知する。正しく金種判別できた場合は、制御部２０の指示により、出金を意味する音、例えば高い周波数の音をブザー８で鳴動させ、搬送路３上を認識部４から入出金口２へと紙幣を移動する。
【００３６】
すると、店員はこの高い周波数のブザー８の音を確認し、入出金口２に排出された紙幣が出金紙幣であることを認識し紙幣を入出金口２から取り出す。そして、紙幣が取り出されたことを検知すると制御部２０からの指示によりブザー８の鳴動を止める。そして、出金結果をＰＯＳ端末３０へ通知して出金処理を終了する。
【００３７】
一方、出金時に正しく金種判別できなかった場合は、実施例１と同様、図示していないが出金リジェクト庫を備え、当該出金リジェクト庫に紙幣を搬送して収納するようにすればよい。
【００３８】
なお、以上の実施例の説明では、入金リジェクト時に低い周波数の音を出力し出金時には高い周波数の音を出力するように説明したが、これを逆にしてもよいし、入金リジェクト時と出金時の音のテンポを変えて鳴動させるようにしてもよい。
【００３９】
（実施例２の効果）
以上のように、実施例２の紙幣入出金機によれば、低い周波数の音と高い周波数の音で鳴動するブザーを備え、入金リジェクト時と出金時の前記ブザーの周波数を変えるようにしたので、実施例１と同様、高価な部材や機構を設けることなく、入金リジェクト紙幣か出金紙幣かどうかを音で区別でき、リジェクト紙幣を出金紙幣と間違えてお客様へ渡すことがない。
【実施例３】
【００４０】
（構成）
実施例３の紙幣入出金装置の構成を示す図３を用いて以下詳細に説明する。なお、同図（ａ）は実施例３の紙幣入出金装置の概観斜視図であり、（ｂ）は入金リジェクト時の入出金口２周辺の状態を示した図であり、（ｃ）は出金時の入出金口２周辺の状態を示した図である。
【００４１】
同図に示したように、実施例３の紙幣入出金装置１では、実施例１の入金表示ランプ６と出金表示ランプ７に替えて、入金リジェクトのときと出金のときの入出金口２からの紙幣の突出量を変える突出量調整手段としての入金リジェクト用ストッパ９と出金用ストッパ１０を設けた構成となっている。
【００４２】
そして、入金リジェクト用ストッパ９と出金用ストッパ１０は、同図（ｂ）、（ｃ）に示したように図示しない駆動部により矢印Ａ、矢印Ｂのように略９０度回動できるようになっており、それぞれ先端を垂直または水平にすることができるようになっている。
【００４３】
そして、入金リジェクト用ストッパ９は、通常の出金時に使われる出金用ストッパ１０に比べて長さが短く、取り出しにくい位置でリジェクト紙幣４０ａを止めることができるようになっている。その他の構成は実施例１の紙幣入出金機と同様であるので簡略化のためにその詳細な説明は省略する。
【００４４】
（動作）
以上の構成にて実施例３の紙幣入出金装置１は、以下のように動作する。まず、入金取引の動作を前述の図３を用いて説明する。
【００４５】
紙幣入出金装置１の入金処理はＰＯＳ端末３０からの指示により開始され、店員は紙幣を確認して入出金口２へセットする。紙幣が入出金口２にセットされたことを検知すると、制御部２０の指示により、搬送路３上を入出金口２から認識部４へ紙幣を移動させる。
【００４６】
認識部４では紙幣の種別を判別し、その判別結果を制御部２０へ通知する。そして、正しく金種判別できた場合は、搬送路３上を認識部４から収納庫５へ紙幣を移動し収納する。
【００４７】
一方、正しく金種判別できなかった場合は、入金リジェクト用ストッパ９を図３（ｂ）のように回動させて垂直とし、搬送路３を逆方向に駆動し、認識部４から入出金口２へ紙幣を戻す。
【００４８】
すると、リジェクト紙幣４０ａは入金リジェクト用ストッパ９で受け止められ、入出金口２の奥まった位置で止まる。店員は、リジェクト紙幣４０ａを取り出す際に奥まった位置にあり紙幣が取り出しにくいことからリジェクト紙幣であると確認することができる。
【００４９】
そして、リジェクト紙幣４０ａが取り出されたことを検知すると制御部２０の指示により入金リジェクト用ストッパ９を水平となるように回動する。
【００５０】
店員は、入金リジェクトした紙幣４０ａを取り出し、別の紙幣と交換して再度入金する。そして、正常に入金を完了したときは、その結果をＰＯＳ端末３０に通知して入金処理を終了する。
【００５１】
次に、出金動作を説明する。まず、ＰＯＳ端末３０からの指示により出金処理は開始され、出金が開始されると、制御部２０の指示により、収納庫５から紙幣を繰り出し、搬送路３上を収納庫５から認識部４へと紙幣を移動する。
【００５２】
そして、認識部４にて紙幣の種別を判別し、その判別結果を制御部２０へ通知する。正しく金種判別できた場合は、制御部２０の指示により、同図（ｃ）のように出金用ストッパ１０を回動して垂直にし、搬送路３上を認識部４から入出金口２へ紙幣を移動する。
【００５３】
すると、出金紙幣４０ｂは、出金用ストッパ１０で受け止められ、入出金口２の手前側の取り出しやすい位置で紙幣が止まる。店員は出金紙幣４０ｂを取り出す際にリジェクト紙幣４０ａに比べ突出量が多いことから、通常の出金紙幣４０ｂであると確認することができる。
【００５４】
出金紙幣４０ｂが取り出されたことを検知すると制御部２０の指示により出金用ストッパ１０を水平となるように回動する。そして、出金結果をＰＯＳ端末３０へ通知して出金処理を終了する。
【００５５】
一方、出金時に正しく金種判別できなかった場合は、実施例１と同様、図示していないが出金リジェクト庫を備え、当該出金リジェクト庫に紙幣を搬送して収納するようにすればよい。
【００５６】
なお、以上の実施例の説明では、入金リジェクトのときと出金のときとを区別するために長さの異なる入金リジェクト用ストッパ９と出金用ストッパ１０を突出量調整手段として備えるように説明したが、これらのストッパを設けず、突出量調整手段として、入出金口２近傍に紙幣が到達したことを検知するセンサを備え、前記センサにより検知してからの搬送量を入金リジェクトのときと出金のときとで変えて、入出金口２からの紙幣の突出量を変えるようにしてもよい。勿論、前記センサを新たに設けず、紙幣の搬送状態を検知する搬送路３上に設けたセンサ位置からの搬送量により突出量を変えるようにしてもよい。
【００５７】
（実施例３の効果）
以上のように、実施例３の紙幣入出金機によれば、それぞれ長さの異なり略９０度に回動して垂直または水平となる入金リジェクト用ストッパと出金用ストッパを設け、入金リジェクトのときは入金リジェクト用ストッパを回動して垂直とし、出金のときは出金用ストッパを回動して垂直とし、入金リジェクト時と出金時の紙幣の入出金口での突出量を変えるようにしたので、簡易な構成で入金リジェクト紙幣か出金紙幣かどうかを区別でき、入金リジェクト紙幣を出金紙幣と間違えてお客様へ渡すことがない。
【実施例４】
【００５８】
（構成）
実施例４の紙幣入出金装置の構成を示す図４を用いて以下詳細に説明する。同図に示したように、実施例４の紙幣入出金装置では、実施例１の入金表示ランプ６と出金表示ランプ７に替えて、制御部２０内に入金リトライを行う最大回数を格納する入金リトライ情報格納部２０ａと、強制入金収納庫１１を新たに設けている。その他の構成は実施例１の紙幣入出金機と同様であるので簡略化のためにその詳細な説明は省略する。なお、以下の説明では、入金リトライを行う最大回数を２回として説明する。
【００５９】
（動作）
以上の構成にて実施例４の紙幣入出金装置１は、以下のように動作する。まず、入金取引の動作を前述の図４を用いて説明する。
【００６０】
紙幣入出金装置１の入金処理はＰＯＳ端末３０からの指示により開始され、店員はＰＯＳ端末３０でお客様が購入した金額を入力し、入出金口２へ紙幣を確認してセットする。そして、紙幣が入出金口２にセットされたことを検知すると、制御部２０の指示により、搬送路３上を入出金口２から認識部４へと紙幣を移動させる。
【００６１】
認識部４では紙幣の種別が判別され、判別結果を制御部２０へ通知する。正しく金種判別できた場合、搬送路３上を認識部４から収納庫５へ紙幣を移動し収納する。
【００６２】
一方、正しく金種判別できなかった場合は、搬送路３を逆回転して入出金口２へ戻し、入金リトライ情報格納部２０ａに予じめ設定されている回数、本例では２回まで入金リトライを行う。
【００６３】
入金リトライで正しく金種判別できれば、搬送路３上を認識部４から収納庫５へ紙幣を移動し収納する。設定されている回数のリトライ入金を実行しても金種判別できなければ、搬送路３上を認識部４から強制入金収納庫１１へ移動し収納する。
【００６４】
そして、セットした紙幣を全て収納すると、強制入金収納庫１１へ収納した枚数と収納庫５へ収納した金種毎の枚数および入金金額を入金処理結果としてＰＯＳ端末３０へ通知する。
【００６５】
ＰＯＳ端末３０では、最初に入力した金額と紙幣入出金装置１から受信した入金金額を比較し、一致すれば正常に全ての紙幣が入金されたと判断し入金処理を完了する。
【００６６】
一方、不一致であれば、ＰＯＳ端末３０で最初に入力した金額と紙幣入出金装置１から受信した入金金額の差額が入金リジェクトした紙幣の金種であると判断して入金処理を終了する。
【００６７】
次に、出金の動作を説明する。まず、ＰＯＳ端末３０からの指示により出金処理は開始され、出金が開始されると、制御部２０の指示により、収納庫５から紙幣を繰り出し、搬送路３上を収納庫５から認識部４へ紙幣を移動する。
【００６８】
そして、認識部４にて紙幣の種別を判別し、その判別結果を制御部２０へ通知する。正しく金種判別できた場合は、制御部２０の指示により、搬送路３上を認識部４から入出金口２へ紙幣を移動する。そして、出金結果をＰＯＳ端末３０へ通知して出金処理を終了する。
【００６９】
一方、出金時に正しく金種判別できなかった場合は、実施例１と同様、図示していないが出金リジェクト庫を備え、当該出金リジェクト庫に紙幣を搬送して収納するようにすればよい。
【００７０】
（実施例４の効果）
以上のように、実施例４の紙幣入出金機によれば、強制入金収納庫と、入金リトライ情報格納部を設け、前記入金リトライ情報格納部にあらかじめ格納されたリトライ回数まで入金リトライを繰り返してもリジェクトされた入金リジェクト紙幣は強制的に強制入金収納庫へ収納するようにしたので、何度も入金リトライを繰り返すことを防止することができ、リジェクト紙幣を出金紙幣と間違えてお客様へ渡す頻度を少なくすることができる。
【００７１】
《その他の変形例》
以上の実施例の説明では、それぞれの実施例を独立して実施する例を示したが、これらを組み合わせるようにしてもよい。例えば、実施例１のランプ表示による区別と実施例２のブザー音を同時に変えたり、或いはさらに実施例３のように入金リジェクト用ストッパ９と出金用ストッパ１０を設けたりすれば、リジェクト紙幣と出金紙幣とをさらに区別でき、リジェクト紙幣を出金紙幣と間違えてお客様へ渡すことをさらに防ぐことができる。
【産業上の利用可能性】
【００７２】
以上述べたように、本発明は、ＰＯＳ端末に接続される紙幣入出金装置や硬貨入出金装置に広く用いることができる。
【符号の説明】
【００７３】
１    紙幣入出金装置
２    入出金口
３    搬送路
４    認識部
５    収納庫
６    入金表示ランプ
７    出金表示ランプ
８    ブザー
９    入金リジェクト用ストッパ
１０  出金用ストッパ
１１  強制入金収納庫
２０  制御部
３０  ＰＯＳ端末
４０  紙幣
【図１】
0005565241.tif 000002
【図２】
0005565241.tif 000003
【図３】
0005565241.tif 000004
【図４】
0005565241.tif 000005